(57)【要約】【課題】ケーブル管理システムでケーブルを案内し固定するクランプを提供する。【解決手段】本クランプは、本体部材及びこの本体部材と一体成形されたラッチ部材を含む。本体部材は、少なくとも一つのケーブルガイド及び外方に延びるアームを含むラッチ部材を含む。ラッチ部材は、開放位置から閉鎖位置まで本体部材上で枢動する。ラッチ部材が閉鎖位置にあるとき、各アームは、ケーブルガイドに位置決めされたケーブルを固定するため、ケーブルガイド上に配置される。【選択図】図１
2006275283.tif 000002
【特許請求の範囲】
【請求項１】
ケーブルをケーブル管理システムに固定するためのクランプにおいて、
少なくとも一つのケーブルガイドを持つ本体部材と、
前記本体部材と一体成形された、少なくとも一つのアームを持つ少なくとも一つのラッチ部材とを含み、
前記少なくとも一つのラッチ部材は、開放位置から、前記ケーブルガイド内に位置決めされたケーブルを固定するために前記少なくとも一つのアームが前記少なくとも一つのケーブルガイド上に配置された閉鎖位置まで枢動する、クランプ。
【請求項２】
請求項１に記載のクランプにおいて、前記少なくとも一つのラッチ部材は、前記本体部材にヒンジによって枢着されている、クランプ。
【請求項３】
請求項１に記載のクランプにおいて、前記少なくとも一つのケーブルガイドは円弧状である、クランプ。
【請求項４】
請求項１に記載のクランプにおいて、前記本体部材は、前記クランプを前記ケーブル管理システムに固定するための取り付けラッチを含む、クランプ。
【請求項５】
請求項１に記載のクランプにおいて、前記アームは円弧状底面を有する、クランプ。
【請求項６】
請求項１に記載のクランプにおいて、前記本体部材は複数の歯を有し、前記少なくとも一つのラッチ部材は、前記複数の歯のうちの一つの歯と係止係合し、前記クランプを閉鎖位置に係止するラッチを有する、クランプ。
【請求項７】
請求項６に記載のクランプにおいて、前記少なくとも一つのラッチ部材は、前記ラッチを前記歯から外すための解放レバーを有する、クランプ。
【請求項８】
請求項１に記載のクランプにおいて、前記本体部材は、閉鎖位置で前記ラッチ部材の前記アームを受け入れるためのノッチを有する、クランプ。
【請求項９】
ケーブルをケーブル管理システムに固定するための装置において、
バーと、
前記バーに固定されたクランプであって、少なくとも一つのケーブルガイドを持つ本体部材と、この本体部材と一体成形された、アームを持つ少なくとも一つのラッチ部材とを有し、前記少なくとも一つのラッチ部材は、開放位置から、ケーブルを固定するために前記アームが前記少なくとも一つのケーブルガイド上に配置された閉鎖位置まで枢動する、クランプとを含む、装置。
【請求項１０】
請求項９に記載の装置において、前記本体部材は二つのケーブルガイドを有する、装置。
【請求項１１】
請求項９に記載の装置において、前記バーは、前記クランプを受け入れるための複数の穴を持つ水平部材を有する、装置。
【請求項１２】
請求項１１に記載の装置において、前記本体部材は、前記クランプを前記バーに固定するため、前記バーの前記穴に受け入れられるようになった取り付けラッチを含む、装置。
【請求項１３】
請求項９に記載の装置において、前記少なくとも一つのラッチ部材は、前記本体部材にヒンジによって枢着されている、装置。
【請求項１４】
請求項９に記載の装置において、前記少なくとも一つのケーブルガイドは円弧状である、装置。
【請求項１５】
請求項９に記載の装置において、前記アームは円弧状底面を有する、装置。
【請求項１６】
請求項９に記載の装置において、前記本体部材は複数の歯を有し、前記少なくとも一つのラッチ部材は、前記クランプを閉鎖位置に係止するため、前記複数の歯の一つと係止係合するためのラッチを有する、装置。
【請求項１７】
請求項９に記載の装置において、前記少なくとも一つのラッチ部材は前記ラッチを前記歯から外すための解放レバーを有する、装置。
【請求項１８】
請求項９に記載の装置において、前記本体部材は、閉鎖位置で前記ラッチ部材の前記アームを受け入れるためのノッチを有する、装置。
【請求項１９】
ケーブル管理システムにおいて、
コネクタを取り付けるための複数の穴を持つフレームを持つパッチパネルと、
前記パッチパネルフレームから後方に延びる一対のブラケットと、
前記ブラケットに取り付けられた支持バーと、
前記支持バーに固定されたクランプであって、少なくとも一つのケーブルガイドを持つ本体部材及びこの本体部材と一体成形された、アームを含む少なくとも一つのラッチ部材を含む、クランプとを含み、前記少なくとも一つのラッチ部材は、開放位置から、ケーブルを固定するために少なくとも一つのケーブルガイド上に前記アームが配置された閉鎖位置まで枢動する、ケーブル管理システム。
【請求項２０】
請求項１８に記載のケーブル管理システムにおいて、複数の支持バーを更に含む、ケーブル管理システム。
【請求項２１】
請求項１９に記載のケーブル管理システムにおいて、前記複数の支持バーは前記ブラケットに様々な高さで取り付けられる、ケーブル管理システム。
【発明の詳細な説明】
【技術分野】
【０００１】
本発明は、ケーブル管理システムに関し、更に詳細には、ケーブルをケーブル管理システムに保持するための歪解放クランプを含むケーブル管理支持バーに関する。
【背景技術】
【０００２】
遠隔通信システムは、通信コネクタが取り付けられる機器ラック即ちフレームを含む。関連したケーブルは、ラックを通して及びその周囲をラックシステム内の別の目的地又は装置まで引き回される。設置中又はシステムの更新時のいずれかで、ケーブルは、システムを通して差し向けられるときに絡んだり曲がったりしてしまう。これにより、ケーブルがコネクタモジュールで終端する場所でケーブルに望ましからぬ歪が加わってしまう。かくして、ケーブルの案内を補助し、システムを通してケーブルを差し向けるときにケーブルに作用する歪を解放する装置を提供するのが望ましい。
【発明の開示】
【発明が解決しようとする課題】
【０００３】
本発明は、ケーブル管理システムでケーブルを固定するクランプに関する。
【課題を解決するための手段】
【０００４】
クランプは、本体部材及びこの本体部材と一体成形されたラッチ部材を含む。本体部材は、様々なケーブルを支持するように設計された多数のケーブルガイドを有する。ラッチ部材は、外方に延びるアームを含む。ラッチ部材は、開放位置から、ケーブルガイド内に位置決めされたケーブルを固定するためにアームがケーブルガイド上に配置された閉鎖位置まで枢動する。
【発明を実施するための最良の形態】
【０００５】
図１及び図２は、本発明のケーブル管理支持バー３０及び歪解放クランプ５０の例示の適用を示す。歪解放クランプ５０は、パッチパネル１２２に設置したネットワークモジュール１２４から延びるケーブル１２６を案内できるように支持バー３０に固定される。歪解放クランプ５０は、ケーブルを様々な方向に引っ張ったとき、ケーブル１２６を所定の場所に保持する。かくして、歪解放クランプ５０は、ケーブル１２６をラックシステムに通すとき、ケーブル１２６を支持し、ケーブル１２６に作用する歪を解放する。
【０００６】
図３は、支持バー３０及び歪解放クランプ５０を示す。支持バー３０は水平部材３２、垂直部材３４、第１端３６及び第２端３８を含む。第１端３６及び第２端３８は、支持バー３０を機器ラック１２０に固定するファスナを受け入れるための開口部４０を有する。図２に示すように、支持バー３０の各端３６、３８は機器ラック１２０の後部に取り付けられる。支持バー３０の垂直部材３４は、第１端３６と第２端３８との間を延びる。水平部材３２は垂直部材３４から外方に延びる。水平部材３２は、更に、第１端３６と第２端３８との間を延びる。水平部材３２は、歪解放クランプ５０から延びる取り付けラッチ９６及び突出部９８の夫々を受け入れるように形成された複数の穴４２及び複数のスロット４４を含む。これらの穴４２及びスロット４４は、支持バー３０に最大数の歪解放クランプ５０を受け入れる特定のパターンで配置されている。図３は、更に、水平部材３２の自由端から下方に延びるリップ３５を持つ支持バー３０を示す。支持バー３０は、下方に延びるリップ３５なしで製造することもできると考えられる。
【０００７】
図３乃至図６は、歪解放クランプ５０を開放位置で示す。歪解放クランプ５０は、複数のラッチ部材５４が一体成形された本体部材５２を含む。ラッチ部材５４は一体ヒンジ５６によって本体部材５２の第１側８４に枢着されている。各ヒンジ５６により、ラッチ部材５４は開放位置から閉鎖位置まで自由に回転できる。
【０００８】
各ラッチ部材５４はラッチ本体６０を有し、このラッチ本体から二つのラッチアーム６２が外方に反対方向に延びている。各ラッチアーム６２の下側には、ラッチ部材５４が閉鎖位置にある場合にケーブルを受け入れる全体に円弧状のガイド６４が設けられている。各ラッチ部材５４の自由端には、歪解放クランプ５０と係止するためのラッチ６８を一端に備えており且つラッチ６８を係合解除して歪解放クランプ５０を外すための解放レバー７０を反対側の端部に備えたタブ６６が設けられている。
【０００９】
本体部材５２は、頂部８０、底部８２、第１及び第２の側部８４、８６の夫々、及び第１及び第２の端部８８、９０の夫々を含む。本体部材５２の頂部８０は、ケーブル１２６をシステム内に収容するための複数のケーブルガイド９２を含む。これらのケーブルガイド９２は、これらのガイド内に位置決めされたケーブル１２６と適応するために円弧状をなしている。以下に論じるように、本体部材５２の円弧状ケーブルガイド９２は、様々な直径のケーブルを受け入れるように設計されている。本体部材５２の頂部８０は、更に、複数のノッチ９４を含む。これらのノッチ９４は、ラッチアーム６２が閉鎖位置にあるとき、これらのラッチアーム６２の一部を受け入れるため、全体に矩形形状である。
【００１０】
上文中に論じたように、ラッチ部材５４は、本体部材５２の第１側部８４から延びている。本体部材５２の第２側部８６には複数のラッチ歯１００が設けられている。これらのラッチ歯１００は、二つの歯を含む組をなして配置されているが、ラッチ歯の数を変化させてもよいと考えられる。ラッチ歯１００は、間隔が隔てられて配置されており、一組のラッチ歯１００がラッチ部材５４のタブ６６の一つと整合する。その結果、ラッチ部材を閉鎖位置に枢動させたとき、ラッチタブ６８はラッチ歯と係合して歪解放クランプを閉鎖位置に固定できる。
【００１１】
本体部材５２の底部８２には、本体部材５２の底部８２から外方に延びる複数の取り付けラッチ９６が設けられている。これらの取り付けラッチ９６はケーブルガイド９２の各々の下側と隣接して位置決めされている。取り付けラッチ９６は、支持バー３０の穴４２にスナップ嵌めすることによって、歪解放クランプ５０を図１及び図２に示すように支持バー３０に固定する。
【００１２】
本体部材５２の各端部８８、９０は、これらの端部８８、９０から下方に延びる突出部９８を含む。支持バー３０のスロット４４は突出部９８を受け入れて歪解放クランプ５０を支持バー３０に対して更に整合する。
【００１３】
図７、図８、及び図９は、機器ラック１２０の後部に固定された支持バー３０に設置された歪解放クランプ５０を示す。歪解放クランプ５０は、各ケーブルガイド９２がパッチパネル１２２に設置されたモジュール１２４の一つと整合し、モジュール１２４から延びるケーブル１２６用の経路を提供するように構成されている。図８及び図９に示すように、クランプ５０の本体部材５２から延びる取り付けラッチ９６は、支持バー３０の穴４２内に配置される。取り付けラッチ９６は支持バー３０の底部と係合し、歪解放クランプ５０を支持バー３０に対して固定する。
【００１４】
図１０乃至図１３は、多数のケーブル１２６がパッチパネル１２２のモジュール１２４で終端した機器ラック１２０を示す。上文中に論じたように、本発明の支持バー３０は機器ラックの後側に固定され、歪解放クランプ５０は支持バー３０に設置され、ケーブル１２６を保持する。かくして、各ケーブル１２６は歪解放クランプ５０のケーブルガイド９２の一つに位置決めされる。図１０に示すように、ラッチアーム６２がケーブルガイド９２内のケーブル１２６上に部分的に位置決めされるようにラッチ部材５４を部分的に閉鎖した位置まで枢動する。
【００１５】
ラッチ部材５４を閉鎖位置まで枢動すると、ラッチ部材５４のアーム６２がケーブル１２６と係合し、ケーブル１２６を所定位置に保持する。更に、ラッチタブ６８がラッチ歯１００の一つと係合し、歪解放クランプ５０を閉鎖位置に係止する。歪解放クランプを開放するのが望ましい場合、解放レバー７０をヒンジ５６に向かって上方に押し、ラッチタブ６８を係止歯１００から外す。ラッチタブ６８が解放されると、ラッチ部材５４を本体部材５２から遠ざかるように開放位置まで枢動する。
【００１６】
本発明の歪解放クランプは、モジュールのところで終端する様々な大きさのケーブルを固定するように設計されている。歪解放クランプは、直径が約４．８２６ｍｍ乃至７．８７４ｍｍ（約０．１９インチ乃至０．３１インチ）のケーブルをクランプするように設計されているが、小径又は大径のケーブルと適応するようにクランプを設計してもよいと考えられる。更に、歪解放クランプは、垂直断面が約９．２７１ｍｍ乃至４．１９１ｍｍ（約０．３６５インチ乃至０．１６５インチ）の比較的平らなケーブルと適応してもよい。しかしながら、歪解放クランプは、更に、寸法が小さいフラットケーブルと適応してもよい。例えば、図１４乃至図１７は、大径のケーブルを固定する歪解放クランプを示し、図１８乃至図２１は、比較的平らなケーブルを固定する歪解放クランプを示し、図２２乃至図２５は、小径のケーブルを固定する歪解放クランプを示す。
【００１７】
図１４に示すように、歪解放クランプ５０は大径のケーブルを固定する閉鎖位置にある。図１５は、円弧状ケーブルガイド９２内に配置されたケーブルを示し、歪解放クランプ５０のラッチアーム６２は、ケーブルを歪解放クランプ内に固定するため、大径のケーブルの頂部上に位置決めされる。図１７に示すように、ケーブルが比較的大径であるため、ラッチタブ６８は、歪解放クランプ５０を閉鎖位置に係止するため、第１ラッチ歯だけと係合する。
【００１８】
図１８に示すように、歪解放クランプ５０は比較的平らなケーブルを固定する閉鎖位置にある。かくして、図１９に示すように、フラットケーブルがラッチアーム６２とケーブルガイド９２との間に配置され、ラッチアーム６２及びケーブルガイド９２がフラットケーブルの外縁部と係合し、フラットケーブルを歪解放クランプに固定する。更に、フラットケーブルが歪解放クランプで占有する空間が大径のケーブルよりも少ないため、ラッチタブ６８は、歪解放クランプ５０を閉鎖位置に係止するために第２ラッチ歯と係合する。
【００１９】
図２２に示すように、歪解放クランプ５０は小径のケーブルを固定する閉鎖位置にある。図２３に示すように、ケーブルは円弧状ケーブルガイド９２に位置決めされ、ラッチアーム６２がケーブルの頂部と重なり、ケーブルを歪解放クランプ５０に固定する。ラッチアーム６２をケーブル上で閉鎖位置まで枢動させると、ラッチアーム６２の一部が歪解放クランプ５０の本体部材５２の頂部８０のノッチ９４内に配置される。図２５に示すように、ケーブルの直径が比較的小さいため、ラッチタブ６８は、歪解放クランプ５０を閉鎖位置に係止するために本体部材５２の底部８２と係合する。
【００２０】
本発明の歪解放クランプは、ネットワークケーブルを所定位置に保持し、システムを通してケーブルを引き回すときにケーブルに作用する歪を解放する。図２６に示すように、歪解放クランプは、高密度パッチパネル２００で使用してもよい。図２６は、コネクタが取り付けられた複数の穴２０４を備えた高密度パッチパネルフレーム２０２を示す。一対のブラケット２１０がパッチパネルフレーム２０２の端部から後方に延びている。図２７に示すように、各ブラケット２１０は、このブラケット２１０を機器ラックに固定するためのファスナを受け入れるように形成された複数の取り付け開口部２１４を持つ端部２１２を含む。多くの支持バー２２０が、対をなしたブラケット２１０間を延びるようにこれらのブラケット２１０に取り付けられている。支持バー２２０は、歪解放クランプ５０を受け入れるための穴２２２及び歪解放クランプ５０を保持するための多くのリテーナ２２４を有する。支持バー２２０は、歪解放クランプ５０を高密度パッチパネルのコネクタから延びるケーブルと適応できるように、様々な高さに位置決めされる。
【００２１】
更に、歪解放クランプは、角度をなしたパッチパネルで使用してもよい。歪解放クランプは、更に、食い違い列をなして配置された支持バーに設置されていてもよいし（図２６及び図２７参照）、ラック取り付けトレー又は引出し等の他の装置に設置されていてもよい。
【００２２】
更に、本発明の特に好ましい実施例を示し且つ説明したが、本発明の教示から逸脱することなく、変形及び変更を行うことができるということは当業者には明らかであろう。以上の説明及び添付図面で記載した事項は単なる例示であって、限定ではない。本発明の実際の範囲は、特許請求の範囲を従来技術に基づいて適正に読むことにより定められる。
【図面の簡単な説明】
【００２３】
【図１】歪解放クランプがその内部に位置決めされたケーブルを固定するために閉鎖位置にある、ケーブル管理支持バーを前方から見た斜視図である。
【図２】歪解放クランプがその内部に位置決めされたケーブルを図１に示すように固定した、ケーブル管理支持バーを後方から見た斜視図である。
【図３】図１の歪解放クランプ及びケーブル管理支持バーの分解斜視図である。
【図４】図３に示す歪解放クランプを後方上方から見た斜視図である。
【図５】図３に示す歪解放クランプを前方上方から見た斜視図である。
【図６】図３に示す歪解放クランプを後方下方から見た斜視図である。
【図７】歪解放クランプが機器ラックに固定されたケーブル管理支持バーの平面図である。
【図８】図７の８−８線に沿った歪解放クランプの断面図である。
【図９】図７の９−９線に沿った歪解放クランプの断面図である。
【図１０】歪解放クランプが開放位置にある、ケーブル管理支持バーの前方から見た斜視図である。
【図１１】歪解放クランプが図１０に示すように開放位置にある、ケーブル管理支持バーの平面図である。
【図１２】図１１の１２−１２線に沿った歪解放クランプの断面図である。
【図１３】図１１の１３−１３線に沿った歪解放クランプの断面図である。
【図１４】本発明の歪解放クランプが大径のケーブルを固定している、ケーブル管理支持バーの平面図である。
【図１５】図１４の１５−１５線に沿った、歪解放クランプを持つケーブル管理支持バーの断面図である。
【図１６】図１４の１６−１６線に沿った、歪解放クランプを持つケーブル管理支持バーの断面図である。
【図１７】図１４の１７−１７線に沿った、歪解放クランプを持つケーブル管理支持バーの断面図である。
【図１８】本発明の歪解放クランプがフラットケーブルを固定している、ケーブル管理支持バーの平面図である。
【図１９】図１８の１９−１９線に沿った、歪解放クランプを持つケーブル管理支持バーの断面図である。
【図２０】図１８の２０−２０線に沿った、歪解放クランプを持つケーブル管理支持バーの断面図である。
【図２１】図１８の２１−２１線に沿った、歪解放クランプを持つケーブル管理支持バーの断面図である。
【図２２】本発明の歪解放クランプが小径のケーブルを固定している、ケーブル管理支持バーの平面図である。
【図２３】図２２の２３−２３線に沿った、歪解放クランプを持つケーブル管理支持バーの断面図である。
【図２４】図２２の２４−２４線に沿った、歪解放クランプを持つケーブル管理支持バーの断面図である。
【図２５】図２２の２５−２５線に沿った、歪解放クランプを持つケーブル管理支持バーの断面図である。
【図２６】本発明の歪解放クランプを持つ高密度パッチパネルを後方から見た斜視図である。
【図２７】図２６の高密度パッチパネルで使用するためのブラケット及び歪解放クランプを後方から見た斜視図である。
【符号の説明】
【００２４】
３０  ケーブル管理支持バー
３２  水平部材
３４  垂直部材
３５  リップ
３６  第１端
３８  第２端
４０  開口部
４２  穴
４４  スロット
５０  歪解放クランプ
５２  本体部材
５４  ラッチ部材
５６  一体ヒンジ
６０  ラッチ本体
６２  ラッチアーム
６４  ガイド
６６  タブ
６８  ラッチ
７０  解放レバー
８０  頂部
８２  底部
８４  第１側部
８６  第２側部
９２  ケーブルガイド
９４  ノッチ
９６  取り付けラッチ
９８  突出部
１００  ラッチ歯
１２０  機器ラック
１２２  パッチパネル
１２４  ネットワークモジュール
１２６  ケーブル
【図１】
2006275283.tif 000003
【図２】
2006275283.tif 000004
【図３】
2006275283.tif 000005
【図４】
2006275283.tif 000006
【図５】
2006275283.tif 000007
【図６】
2006275283.tif 000008
【図７】
2006275283.tif 000009
【図８】
2006275283.tif 000010
【図９】
2006275283.tif 000011
【図１０】
2006275283.tif 000012
【図１１】
2006275283.tif 000013
【図１２】
2006275283.tif 000014
【図１３】
2006275283.tif 000015
【図１４】
2006275283.tif 000016
【図１５】
2006275283.tif 000017
【図１６】
2006275283.tif 000018
【図１７】
2006275283.tif 000019
【図１８】
2006275283.tif 000020
【図１９】
2006275283.tif 000021
【図２０】
2006275283.tif 000022
【図２１】
2006275283.tif 000023
【図２２】
2006275283.tif 000024
【図２３】
2006275283.tif 000025
【図２４】
2006275283.tif 000026
【図２５】
2006275283.tif 000027
【図２６】
2006275283.tif 000028
【図２７】
2006275283.tif 000029
【外国語明細書】
2006275283000001.pdf